(57)【要約】【課題】即効性のある腕脚疲労回復機があるにもかかわらず、屋外で手軽に持ち運び出来、使用の出来る腕脚疲労回復機は無かったので、それを提供する。【解決手段】  １）腕脚疲労回復機を背負える様に背負い用帯を設けた。  ２）腕脚疲労回復機を地上で使用しても衣服が汚れないよう、又、使用時、本機がずれないよう折り畳み自在の仰臥用布状敷物を設けた。  ３）腕脚疲労回復機に荷物を多く乗せられる様、軸受部をワンタッチ格納、ワンタッチ設置の構成とした．【選択図】  「図１」
2005081111.tif 000002
【特許請求の範囲】
【請求項１】
腕脚疲労回復機に背負い用帯を設けたことを特徴とする腕脚疲労回復機
【請求項２】
腕脚疲労回復機に、伸縮折り畳み自在の仰臥用布状敷物を設けた「請求項１」の腕脚疲労回復機
【請求項３】
腕脚疲労回復機の軸受部をワンタッチ格納、ワンタッチ設置の構成とした「請求項１」の腕脚疲労回復機
【発明の詳細な説明】
【技術分野】
【０００１】    本発明はハイキングや登山や山仕事或いは歩き遍路等の際の、背負子を兼ねた腕脚疲労回復機に関するものである。
【背景技術】
【０００２】  ハイキングや登山或いは歩き遍路等に、背負子を兼ねた腕脚疲労回復機の台座に荷物を乗せ、休憩や睡眠前に荷物を降ろし、腕脚疲労回復機に付いた回転可能ペダルを仰臥して手や足で回し、疲れた腕や脚の筋肉疲労を、その場で除去する手軽で屋外使用の出来る物は無かった。
以下の「特許文献」は何れも仰臥して回転ペダルを回すということについての文献である。
【特許文献１】特願２００１−３８３８１０
【特許文献２】特公  昭６１−１９２７２
【特許文献３】公開実用新案公報  昭６１−１２１８４９
次に本発明との差異を述る。【０００３】
【特許文献１】特願２００１−３８３８１０について
１．背負い用の背負い帯が付いていない
屋外で人による長距離の持ち運びが困難という欠点がある。
これを本発明のように背負い帯を腕脚疲労回復機に設ける事によりハイキングや登山や山仕事或いは歩き遍路等に使用でき、その場で筋肉疲労の除去が即座にでき便利になる。【０００４】
【特許文献２】特公  昭６１−１９２７２
１．モータが付いている
屋外でのハイキングや登山や山仕事或いは歩き遍路等長距離の持ち運びが出来ない欠点がある。
又、仮に電気の無い山等に運んで、これを回すと足でモータを回すこととなり脚に負荷が掛かるので筋肉疲労の回復にはならない欠点がある。
２．踵当てが設けてある。
モータで、脚に負荷が掛からない回転で回すときは、足に少しの力も必要としないので踵受けでも足がペダルから外れる事無く回せるが、健脚機として足に力を加えて回す時はアームの片方を押しているときは、もう片方は手前に引き寄せるように回さなければ回転させる事ができないので、この引き寄せ作用の時、足首を受けていない踵受けでは、踵が踵受けから外れる不具合がある。従って常に足をペダルに押しつけようとする力が必要になる。故に脚の筋肉はリラックス出来ない。足首のくぼみに足首受けという帯が入っていて初めて脚の筋肉はリラックス出来、回転可能ペダルの引き寄せ作用ができるのである。足の甲当てベルトで引き寄せ作用を行うと甲当てベルトと甲の間に隙間が生じているので引き寄せる度にベルトと足の甲が擦れ合い不愉快である。その不便解消のため仰臥して甲当てベルトに足を入れて足の甲をぴったり合わせ、しかも踵受けに足を置くことは構成上出来ない。なぜなら下方から足を甲当てベルトに差し入れ、その足を踵受けに置こうとすると、どうしても甲当てベルトと足の甲の間に隙間が生じる。靴を履く時のように座して靴べら等を用いれば可能であるが仰臥の状態では無理と言う欠点がある。
それに引き替え今回の発明は、踵受けとは異なり足首受けを設けており、仰臥して足を足首受けに足くびを置くだけで容易にペダル面に足を置け、足首のくぼみに足首受けの帯が入るので足首受けに足の重さが掛かり足首のくぼみから足が外れることがなくなりペダルを容易に前後自由に動かす事が出来るのである。
３．仰臥板が付いている。これを基盤の下側に折り畳んでいる。（実施例）
図面上は上側に折り畳める図になっている。
３．１  基盤の下に折り畳むと仰臥する面が床面と接触し仰臥面が汚れる不具合がある。
３．２  上側に折り畳むと仰臥板が突起物となり危険である等の欠点がある。
３．３  仰臥板を布団の下には敷き込めるが、敷き布団の足の方が壁際近くに敷かなければ寝られない部屋では肝心のペダル部が敷き布団の下方より出てしまい狭い部屋では置くことさえ出来なくなる。
３．４  ベッドのマットの下にも仰臥板を敷き込めるが、３．３と同じ事が言える。
まして足方に側壁のあるベッドには使用できない欠点もある。
３．５  この文献の発明は新たに置く場所を必要とする欠点がある。
今回の発明は仰臥用布状敷物なので台座の上にジャバラ状に折り畳む事が出来るので地面に置いても仰臥面が汚れる事はないのである。又、板状でないので何の部品（蝶番等）を付随する事もなく幾重にもジャバラ状に折り畳み、それをジャバラ折りの線に直角方向にも何の部品を付随する事もなく容易に折り曲げる事が出来るので、台座の幅より広い仰臥用布状敷物を設ける事が容易に出来るのである。まして危険な突起物など出来ることも無いのである。
又、背負子の背中側には殆ど突起物が無いので、壁近くの敷き布団やベッドのマットの下にも敷いて利用することが出来るのである。【０００５】
【特許文献３】公開実用新案公報  昭６１−１２１８４９
１．モータが付いている。
「特許文献２」特公  昭６１−１９２７２と同じ欠点を有する。
２．この文献の発明は新たに置く場所を必要とする欠点がある。【０００６】従来、ハイキングや登山や山仕事或いは歩き遍路時に、その場で筋肉疲労を除去する方法として、湿布剤を貼り付けたり、塗ったりしていたが、本発明のような器具による屋外での除去の方法は発想さえ無かった。しかも本発明品を使用すると即効性がある。その説明は「発明の効果」で述べることとする。
【発明の開示】
【発明が解決しようとする課題】
【０００７】  特願２００１−３８３８１０は屋内での移動や使用は軽量でコンパクトで、しかも敷き布団の下に敷くので場所を取らず便利な腕脚疲労回復機の一つである。しかしながらこの発明品は即効性があるにもかかわらずハイキングや登山や山仕事或いは歩き遍路時に共に持ち歩くには無理があった。
【課題を解決するための手段】
【０００８】  １）腕脚疲労回復機を背負える様に背負い用帯を設けた。
２）腕脚疲労回復機を地上で使用しても衣服が汚れないよう、又、使用時、本機がずれないよう折り畳み自在の仰臥用布状敷物を設けた。
３）腕脚疲労回復機に荷物を多く乗せられる様、軸受部をワンタッチ格納、ワンタッチ設置の構成とした．
【発明の効果】
【０００９】  先ず、「請求項１」の手段を講じたので背負い用帯により腕脚疲労回復機を容易に背負うことが出来るので、アウトドア活動をしたその場で仰臥して足で回転可能ペダルを回すことにより、脚部の筋肉疲労や予防を行うことができるのである。仰臥して回転可能ペダルを回すということは、左右の脚の重さと微少の力を加える事により水平軸を回転させることが出来るのである。そのため脚の筋肉は体重を支えることなく微少の力で伸縮を繰り返すので、殆ど筋肉に負荷は掛からず、殆ど負荷の掛からない筋肉の伸縮は、疲労の元である乳酸をピルビン酸に変え二酸化炭素になるまで完全に分解されエネルギーとして使われる作用があるので、ペダルを体に負担の掛からない範囲内で回せば回すほど筋肉疲労の予防や除去がその場で出来る即効性の効果を有するのである。又、背骨に体重が掛からないので大臀筋を通じて腰廻りの筋肉と背骨が動きやすくなる作用により腰回りの筋肉疲労予防と回復も付帯効果として生じるのである。【００１０】  更に発明者の使用体験として、夜中に起きてトイレに行く事が無くなったり、房事の後、この腕脚疲労回復機の付いた背負子を５〜１０分回して就寝すると翌日気だるさの無い１日が送れる等の付帯効果が有り、これらをみても腰回りの筋肉疲労予防と回復に効果があることが言える。何故この様な効果が生じるのかは今後の専門家の解析、研究又は文献の調査により明らかになると思われるが、いずれにしても背骨に体重を掛けずに、脚や腕に微少の力でその筋肉を伸縮させると筋肉疲労の予防と除去の効果は絶大で、更に腰廻りの不具合の改善の付帯効果も得られると云うことが出来る。【００１１】  又、「請求項２」の手段を講じたので、仰臥用布状敷物に体重が掛かることにより、本機を固定する作用を生じアウトドア活動の、その場で衣服や頭を汚す事なく、しかも台座が後方にずれることなく回転可能ペダルを回す事が出来る効果を得られるのである。又、これをマットや敷き布団の下に敷いて使用しても仰臥用布状敷物に体重が掛かることにより、本機を固定する作用を生じ台座が後方にずれる事を防止出来る効果を生じるのである。【００１２】  又、「請求項３」の手段を講じたので、回転可能ペダルを設けた軸受部は上方へワンタッチで格納され、台座上は邪魔者の無い空間が得られるので、荷物が多く積める事が出来る効果を生じるのである。又、ワンタッチで格納出来るので旅館やホテル或いは自宅で掛け布団を掛けたり、脚、腰が不自由になりかけた人達が本機を使用している場合に、お世話をする時にも格納出来るので、邪魔にならずにお世話する事が出来る効果を生ずるのである。
【発明を実施するための最良の形態】
【００１３】  この発明は、次のように構成されている。即ち、Ｕの字形の台座１にＵの字形の支柱２をＸＹＺ方向接続具２ａと支柱間接続パイプ４で接続し、上下に移動可能なＴ字形パイプのＴの横線の部分を２個接続した形状の２個の２Ｔ形スライドパイプ３の互いの穴を向き合わせ、互いの穴に支柱間接続パイプ４を各々差し込み、その各各の支柱間接続パイプ４にはＴ字形パイプ５を回動自在に挿入している。２個の２Ｔ形スライドパイプ３はＵの字形の支柱２に挿入され、その上下には移動自在ストッパー７を設けている。上段のＴ字形パイプ５から横支柱６を突き出し、回転可能な水平軸８を有する軸受部９に固定され、その左右端に軸回転用アーム１４に足首受け１７を設けた回転可能ペダル１５を固定し、足首受け１７に足首を置くだけで軸回転用アーム１４の回転を容易にさせる様にする。支柱２を挟んで横支柱６とは逆方向に、２本の背負い帯１６を設け、その各端を台座１とＴ字形パイプ５に固定し、腕脚疲労回復機を背負える様にした物である。
２本の背負い帯１３はフック等で着脱自在に設けても良い。（図示省略）
横支柱６にはＶ字様接続パイプ１３が固定され、下段のＴ字形パイプ５に固定支えパイプ１０が固定され、支えパイプ１０の他端はＶ字様接続パイプ１３に挿入されＶ字様接続パイプ１３の壁及び収納支柱１１の固定ピン１２に当たって横支柱６を支える構成である。収納支柱１１はＶ字様接続パイプ１３を貫通した固定ピン１２に収納支柱１１が回動自在に取り付けられている。【００１４】  又、Ｕの字形の台座１に折り畳み自在の仰臥用布状敷物１８の一端をＵの字形の台座１に取り付け、後は台座中パイプ１９上にジャバラ式に折り畳んで置き、使用時は頭方向に広げられるように設けるのである。仰臥用布状敷物１８はホックやボタンで着脱自在（図示省略）にし、汚れた場合洗濯等が容易に出来るようにしても良い。仰臥用布状敷物１８は凸形布２０で凸部をＵの字形の台座１に固定し、後の部分は両側を１点鎖線部から内側に折り、ジャバラ式に折り畳んでも良い。（図６参照）丸めたりするよりも、ジャバラ式に折り畳んだ方が同じ面が接触するので仰臥する面が汚れない。【００１５】  又、これを仰臥して軸受部９を上方へワンタッチ格納する場合は、片方の足で軸受部９を上方へ回動して足を外すと、固定支えパイプ１０がＶ字様接続パイプ１３から外れ、回動自在な収納支柱１１が固定支えパイプ１０内周を押さえるように立ち、そのため固定支えパイプ１０上端は収納支柱１１の側面を押す事となり、軸受部９と固定支えパイプ１０は上方へ格納された状態で停止するのでワンタッチで軸受部９と固定支えパイプ１０は上方へ格納出来るのである。使用状態に戻す場合は、片方の足で軸受部９を支え、もう片方の足で固定支えパイプ１０を押しながら軸受部９を支えた足を外すと収納支柱１１が固定支えパイプ１０の中に滑り込み、更に固定支えパイプ１０がＶ字様接続パイプ１３に滑り込んで固定支えパイプ１０がＶ字様接続パイプ１３の壁と固定ピン１２に当たって停止し、軸受部９は使用位置にワンタッチで戻せるのである。
【実施例】
【００１６】実施例１
この発明の「発明を実施するための最良の形態」の実施形態から２本の背負い帯１６を、除いて、室内専用の腕脚疲労回復機にすることも出来る。（図７参照）、初心者が使用しても台座１の移動が無くなり、又、軸受部９の上部への収納がワンタッチで出来るので、かけ布団の上げ下げや寝たきり予備軍の老人のお世話等が従来通り容易に出来るのである。
【産業上の利用可能性】
【００１７】１．登山、ハイキング、トレッキング時にリュクサック代わりに荷物を積み、休憩時に本機を使用することにより、その日の筋肉疲労を除去する。
２．山仕事や野良仕事時、本機に鎌や鍬や弁当を積んでしょって行き、休憩時に本機を使用する。
３．剣道等、他校で試合の時、道具を本機に積んで移動し、試合の合間に本機を回して筋肉疲労の無い状態で試合に臨める。
【図面の簡単な説明】
【００１８】
【図１】本発明の「請求項１」「請求項２」「請求項３」を取り入れた左側面図
【図２】本発明の「請求項１」「請求項２」「請求項３」を取り入れた平面図
【図３】本発明の「請求項１」「請求項２」「請求項３」を取り入れた正面図
【図４】本発明の「請求項１」「請求項２」「請求項３」を取り入れた背面図
【図５】「請求項３」を取り入れた軸受け部の格納図
【図６】凸形布２０を広げた時の平面図
【図７】実施例１の左側面図
【符号の説明】
【００１９】  １…Ｕの字形の台座
２…Ｕの字形の支柱        ２ａ…ＸＹＺ方向接続具
３…２Ｔ形スライドパイプ
４…支柱間接続パイプ
５…Ｔ字形パイプ
６…横支柱
７…移動自在ストッパー
８…水平軸
９…軸受部
１０…支えパイプ
１１…収納支柱
１２…固定ピン
１３…Ｖ字様接続パイプ
１４…軸回転用アーム
１５…回転可能ペダル
１６…背負い帯
１７…足首受け
１８…仰臥用布状敷物      １８ａ…仰臥用布状敷物の折り畳み略図
１８ｂ…仰臥用布状敷物を敷いた状態側面略図
１９…台座中パイプ
２０…凸形布
【図１】
2005081111.tif 000003
【図２】
2005081111.tif 000004
【図３】
2005081111.tif 000005
【図４】
2005081111.tif 000006
【図５】
2005081111.tif 000007
【図６】
2005081111.tif 000008
【図７】
2005081111.tif 000009